【事件の表示】
　特許第３４１７９９７号「鉄系脱酸素剤の不良品選別法」の請求項１に係る特許に対する特許異議の申立てについて、次のとおり決定する。
【結　論】
　訂正を認める。
　特許第３４１７９９７号の請求項１に係る特許を維持する。
【理　由】
１．手続の経緯
　本件特許第３４１７９９７号発明は、平成６年５月１１日に特許出願され、平成１５年４月１１日にその特許の設定登録がなされ、その後、三菱瓦斯化学株式会社より特許異議の申立がなされ、取消理由通知がなされ、その指定期間内である平成１６年５月２０日に訂正請求がなされたものである。
　
２．訂正の適否についての判断
２．１　訂正の内容
　　特許権者が求めている訂正の内容は「別紙」のとおりである。
　
２．２　訂正の目的の適否、新規事項の有無、及び特許請求の範囲の拡張・変更の存否
(1）訂正事項ａについて、
　訂正事項ａは、請求項１に記載中の「鉄系酸素吸収剤を包材内に充填して形成した鉄系脱酸素剤における鉄系酸素吸収剤の充填不良品」の記載を、「鉄粉を主成分とする鉄系酸素吸収剤組成物を包材内に充填することによって製造した鉄系脱酸素剤において、鉄系酸素吸収剤組成物の充填量の不良によって発生した鉄系脱酸素剤の不良品」と訂正したものであって、「鉄系酸素吸収剤」が「鉄粉を主成分とする鉄系酸素吸収剤組成物」、すなわち鉄粉を主成分とする酸素吸収能を有する物質自体（組成物）を意味し、一方「鉄系脱酸素剤」が「鉄系酸素吸収剤組成物を包材に充填して製造した鉄系脱酸素剤」、すなわち鉄系脱酸素剤製品を意味することを明確にしたものである。
　また、訂正事項ａは、段落【０００２】の「鉄系脱酸素剤は、還元鉄粉、噴霧鉄粉、電解鉄粉、搗砕鉄粉等の鉄粉を主成分とし、塩化ナトリウム、塩化カルシウム等のアルカリ又はアルカリ土類のハロゲン化物等の電解質、活性炭、ゼオライト、ケイソウ土等の多孔性粒状物それに水が対象物の種類に応じて種々組み合わされた組成物からなるものである。それらの組成物からなる鉄系脱酸素剤の製造方法としては、・・」との記載、および段落【０００３】、【０００４】の記載に基づくものである。
　したがって、前記訂正事項ａは、明りょうでない記載の釈明を目的とするものであって、特許明細書の記載事項の範囲内の訂正であり、新規事項の追加に該当せず、実質上特許請求の範囲を拡張しまたは変更するものではない。
　
(2）訂正事項ｂ〜ｈ
　訂正事項ｂ〜ｈは、いずれも、本件特許明細書の発明の詳細な説明において、訂正事項ａによる特許請求の範囲の訂正に合致させて、その記載内容を明りょうにしたものであるから、特許法第１２０条の４第２項ただし書き第３号に規定する明りょうでない記載の釈明を目的とするものである。
　また、いずれも特許明細書の記載事項の範囲内の訂正であり、新規事項の追加に該当せず、実質上特許請求の範囲を拡張しまたは変更するものではない。
　
２．３　むすび
　以上のとおりであるから、上記訂正は、特許法等の一部を形成する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議の申立について
３．１　申立の理由の概要
　申立人三菱瓦斯化学株式会社は、本件特許発明に対して、証拠として甲第１号証：「月刊フードケミカル　1992年11月号　Vol.8,No11」（第78頁）平成４年１１月１日（株）食品化学新聞社発行、および甲第２号証：特開昭５８−８７６８８号公報を提出し、本件特許発明は、甲第１号証に記載されている脱酸素剤投入モレ検知装置に、甲第２号証に記載されている渦電流損を検出要素とする検出装置に関する技術的事項を組み合わせることによって、当業者が容易に想到できたものであり、特許法第２９条第２項の規定に違反するので、取り消されるべきである旨主張している。
　
３．２　本件発明
　上記のとおり訂正請求が認められたので、本件請求項１に係る発明は、訂正明細書の請求項１に記載された次の事項によって特定されるとおりのものである。
「【請求項１】鉄粉を主成分とする鉄系酸素吸収剤組成物を包材内に充填することによって製造した鉄系脱酸素剤において、鉄系酸素吸収剤組成物の充填量の不良によって発生した鉄系脱酸素剤の不良品を、誘導渦電流を用いて選別することを特徴とする鉄系脱酸素剤の不良品選別法。」
　
３．３　甲号各証の記載事項
　甲第１号証刊行物および甲第２号証刊行物（以下、それぞれ「刊行物１」および「刊行物２」という。）にはそれぞれ以下の事項が記載されている。
(1）刊行物１
　「(3）脱酸素剤投入モレ検知装置
　金属探知器を逆用したものである。鉄粉を原料とする脱酸素剤は金探に反応する。そこで金探の回路を逆にし、脱酸素剤を感知すればＯＫで、感知しなければブザーが鳴るようにしたもの。有機系の脱酸素剤には使えない。」
　
(2）刊行物２
(2a）「受信コイルの他に発振コイル側にもその出力電圧を整流する整流回路およびその整流出力を基準値と比較する比較回路を設け、両コイルの出力信号により効果の選別を行うようにしたものである。・・・発振コイル側の渦電流損をも検出要素とすることにより、強磁性体材料からなる硬貨、特に、鉄貨とニッケル貨とを完全に識別できるようにしたものである。」（第２頁左上欄１〜９行）
(2b）「前記発振コイル18aから取出される出力は、硬貨１９の材質によって異なる渦電流損の相違により変化する。そこで、この電圧出力を増幅回路２３により増幅し、かつこの増幅出力を整流回路２４で直流電圧に変換し、得られた直流電圧レベルを比較回路２５で予め設定された基準電圧レベル帯と比較する。」（第２頁左下欄１９行〜右下欄５行）
が、それぞれ図面とともに記載されている。
　
３．４　対比・判断
　本件請求項１に係る発明（以下、「本件発明」という。）と刊行物１または２に記載の発明とを対比すると、
本件発明では、鉄系酸素吸収剤組成物の充填量の不良によって発生した鉄系脱酸素剤の不良品を、誘導渦電流を用いて選別しているのに対し、刊行物１または２に記載の発明は、いずれも、上記構成を有しない点で相違する。
　そこで、上記の相違点について検討すると、
本件発明は、還元鉄粉、噴霧鉄粉、電解鉄粉、搗砕鉄粉等の鉄粉を主成分とし、塩化ナトリウム、塩化カルシウム等のアルカリ又はアルカリ土類のハロゲン化物等の電解質、活性炭、ゼオライト、ケイソウ土等の多孔性粒状物それに水が対象物の種類に応じて種々組み合わされた組成物からなる鉄系酸素吸収剤組成物の充填量の不良を渦電流を用いて選別する構成を有することによって、鉄系脱酸素剤における主成分である鉄粉等の鉄系化合物の充填不足、無充填等の不良品の選別を高速で行うことができるものである。
　これに対して、刊行物１に記載のものは、鉄粉を原料とする脱酸素剤の投入モレを金属探知器を用いて検出するものであるから、鉄粉を原料とする脱酸素剤のあるなしが検出できればよいのであって、鉄粉を主成分とし、その他の物質と組み合わされた組成物からなる鉄系酸素吸収剤組成物を充填して製造した脱酸素剤の構成自体の不良を検出することは意図されておらず、そのことについては記載も示唆もされていない。
　また、刊行物２には、渦電流を用いて硬貨の種別を識別する技術について記載されているものであって、鉄粉を主成分とし、その他の物質と組み合わされた組成物からなる鉄系酸素吸収剤組成物を選別することに関しては記載も示唆もされていない。それ故、刊行物２に記載の発明が上記鉄系酸素吸収剤組成物を充填して製造された鉄系脱酸素剤の構成自体の不良を検出することに適用できるとする根拠が存在しない。
　以上のとおり、刊行物１に記載のものは、鉄粉を原料とする脱酸素剤の投入モレ検知装置として完結したものであって、その目的または構成を変更すべき理由がなく、また、刊行物２に記載の発明と結びつけるべき根拠も存在しない。
　
　したがって、本件発明が刊行物１および２に記載の発明に基づいて当業者が容易に想到できたものとすることはできない。
　よって、上記申立人の主張は採用することができない。
　
３．５　むすび
　以上のとおりであるから、特許異議申立の理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年６月１５日（２００４．６．１５）
【訂正の要旨】
審決（決定）の【理由】欄参照。
（５４）【発明の名称】
鉄系脱酸素剤の不良品選別法
（５７）【特許請求の範囲】
　【請求項１】　
鉄粉を主成分とする鉄系酸素吸収剤組成物
することによって製造した鉄系脱酸素剤において、鉄系酸素吸収剤組成物の充填量の不良によって発生した鉄系脱酸素剤の不良品を、
【発明の詳細な説明】
　【０００１】
　【産業上の利用分野】
　本発明は鉄系脱酸素剤の不良品選別法に関するもので、鉄系脱酸素剤を製造する化学業界あるいは鉄系脱酸素剤を使用する食品業界等において利用されるものである。
　【０００２】
　【従来の技術】
　加工食品、農水産品、金属製品、精密部品及び繊維製品等の品質保持方法として脱酸素
剤を
に用いられる酸素吸収剤組成物
　鉄系
酸素吸収剤組成物
、
前記の鉄系酸素吸収剤組成物を包材に充填して
を製造する
鉄系
鉄系
鉄系
鉄系
鉄系酸素吸収剤
鉄系
　【０００３】
　【発明が解決しようとする課題】
　本発明者は、鉄系酸素吸収剤
組成物
製造した
剤に
組成物
量の
組成物
組成物
剤を
組成物
　【０００４】
　【発明を解決するための手段】
　本発明者は鋭意検討を重ね、誘導渦電流を用いることによって、上記問題が解決されて、包材内に鉄系酸素吸収剤
組成物
製造
　すなわち、本発明は、
鉄粉を主成分とする鉄系酸素吸収剤組成物
することによって製造した鉄系脱酸素剤において、鉄系酸素吸収剤組成物の充填量の不良によって発生した鉄系脱酸素剤の不良品を、
　【０００５】
　以下本発明について図を用いて詳細に説明する。図１は本発明の１実施態様を示すものであり、三方シール方式で製造された
分包品状の
分包品状の
　図１においては、連包状の
鉄系
になった鉄系
　【０００６】
　本発明は、交流電源に接続されたコイルに発生する時間的に変化する磁束が、コイルに近接する導体に起電力を提起し、交流（渦電流または誘導電流と称される）を生じさせるという、電磁誘導法と称される現象を利用するものである。なお、この現象を応用した非破壊式渦流検査機が市販されており、焼入れ、焼き戻し時の硬さの検査、判別、異材、化学的組成の検査等の材料の検査、判別、形状、寸法の判別等に用いられとされているものが、英国テレディクター社（ミニブリッジ）から販売されており、本発明においても採用し得るものである。
　【０００７】
　【作用】
　本発明においては、通常の金属検知機では不可能な、高速で移動する、連包状の
鉄系
（鉄系酸素吸収剤組成物）
　【０００８】
　【実施例】
　以下、実施例により本発明を詳細に説明するが、本発明の範囲がこれらの実施例のみに限定されるものではない。
実施例１
　図１に示した装置を用い、内容量が鉄粉１．６ｇ、補助成分（非金属）１．５ｇ
（
）からなる、鉄系酸素吸収剤組成物を充填した鉄系
を
、
鉄系
、
鉄系脱酸素剤の
　【０００９】
　【発明の効果】
　本発明は、鉄系脱酸素剤において、
鉄系酸素吸収剤組成物の充填不足や無充填、特に
そのうちでも
鉄系脱酸素剤の
った鉄系脱酸素剤製品
【図面の簡単な説明】
　【図１】　本発明の鉄系脱酸素剤の不良品選別法の一実施例を示す概略図である。
　【符号の説明】
　１　包装材供給ロール
　２　折込装置
　３　シール装置
　４，５，６　原料供給槽
　７　シール装置
　８　切断機
　９　試験用コイル
　１０　標準用コイル
　１１　読取機